(57)【要約】      （修正有）【課題】エアゾール容器を正確に保持して、定量噴霧することが可能な定量噴霧装置を提供する。【解決手段】定量噴霧装置１は、エアゾール容器２を保持するボトルケース３と、エアゾール容器２のキャップに取付けるキャップカバーと、ボトルケース３を収納する保持部５と、ケースカバー部６と、ベースケース部７と、押圧部と、駆動装置と、駆動装置を制御する制御装置８と、主電源スイッチ９と、エアゾール容器２の噴霧を始動する始動スイッチと、パイロットランプと、を備えている。ボトルケース３は、エアゾール容器２の形状や大きさに応じて、形状を変化させることで、様々な形状や大きさのエアゾール容器２を正確に保持することができる。制御装置には、エアゾール容器２の噴霧時間を調節するボリューム６８が設けられている。【選択図】図１
0003189960.tif 000002
【実用新案登録請求の範囲】
【請求項１】
エアゾール容器を装填するボトルケースを備え、前記ボトルケースを保持する保持部と、前記エアゾール容器のキャップを押圧する押圧部を有する駆動装置と、前記押圧部による前記キャップの押圧時間を制御する制御装置と、を備えることを特徴とするエアゾールの定量噴霧装置。
【請求項２】
更に、前記押圧部と前記キャップの間に介在されるキャップカバーを備えることを特徴とする請求項１に記載の定量噴霧装置。
【請求項３】
前記キャップカバーが、有底円筒状に形成され、その内側底部には、前記エアゾール容器の前記キャップに予め形成された位置決め部と係合する第１係合部が形成され、外周部には、エアゾールの噴射方向を固定するための第２係合部が形成されていることを特徴とする請求項２に記載の定量噴霧装置。
【請求項４】
前記保持部に、前記駆動装置を内蔵するケースカバー部が連結されていることを特徴とする請求項１乃至３のいずれか一項に記載の定量噴霧装置。
【請求項５】
更に、前記保持部又は前記ケースカバー部に連結される筒状の噴射ガイド部を有することを特徴とする請求項１乃至４のいずれか一項に記載の定量噴霧装置。
【請求項６】
前記噴射ガイド部は、エアゾール容器から噴霧されたエアゾールが、前記噴射ガイド部の内壁に付着しない大きさ及び形状に形成されていることを特徴とする請求項４に記載の定量噴霧装置。
【請求項７】
更に、前記制御装置を内蔵し、前記保持部に連結されるベースケース部が形成されていることを特徴とする請求項１乃至６のいずれか一項に記載の定量噴霧装置。
【請求項８】
前記ボトルケース及び前記保持部には、前記エアゾール容器の一部を視覚的に露出させる開口部又は透明部が形成されていることを特徴とする請求項１乃至７のいずれか一項に記載の定量噴霧装置。
【請求項９】
前記押圧部が、カムによる押圧機構であることを特徴とする請求項１乃至８のいずれか一項に記載の定量噴霧装置。
【請求項１０】
前記駆動装置が、サーボモータによる駆動機構を有することを特徴とする請求項１乃至９のいずれか一項に記載の定量噴霧装置。
【請求項１１】
前記ベースケース部に前記保持部の下部の形状に合わせた係合穴を設け、前記係合穴に前記保持部が係合され固定されていることを特徴とする請求項１乃至１０のいずれか一項に記載の定量噴霧装置。
【請求項１２】
電源が入っていることを知らせるパイロットランプを有することを特徴とする請求項１乃至１１のいずれか一項に記載の定量噴霧装置。
【請求項１３】
電源がバッテリーであることを特徴とする請求項１乃至１２のいずれか一項に記載の定量噴霧装置。
【考案の詳細な説明】
【技術分野】
【０００１】
本考案は、エアゾール容器内の内容物を定量的に噴霧する定量噴霧装置に関するものである。より詳しくは、本考案は、所望の時に操作することにより、エアゾール容器内の薬剤等の内容物を、正確に一定の量噴霧することができる定量噴霧装置に関する。
【背景技術】
【０００２】
従来、エアゾール容器内に充填された内容物を自動的に噴霧する噴霧装置が知られている。例えば、特許文献１には、アダプタを装着したエアゾール容器をハウジング内に収納し、モータを駆動させ、駆動機構を回転させて、駆動機構と連結されたレバーの一方を押し上げることで、レバーの他方がアダプタを押圧し、エアゾール容器の内容物を噴霧する噴霧装置が開示されている。
【先行技術文献】
【特許文献】
【０００３】
【特許文献１】特開２０１３−１０３１４７号公報
【考案の概要】
【考案が解決しようとする課題】
【０００４】
しかしながら、上記特許文献１に記載されている噴霧装置は、エアゾール容器内の流体（薬剤）を、（何時間毎あるいは何分毎といった）所定の時間間隔で自動的に噴霧するためのものであり、より具体的には、当該薬剤により、室内空間を消臭すると共に、芳香を広めるためのものである。そして、当該噴霧装置においては、エアゾール容器のノズルに装着されたアダプタが、駆動機構からレバーによって伝達される押込力を受けてノズルを押して流体（薬剤）を噴霧するが、アダプタとレバーとが複数の接触部を介して接触することにより、押込力が分散するように構成されていることを特徴とする。
【０００５】
本考案は、上記特許文献１の噴霧装置とは、その目的や構成を異にするものである。本考案定量噴霧装置は、使用者が所望の時に操作することにより、エアゾール容器内の流体（薬剤）を、正確に一定の量を噴霧するためのものであるが、何時間毎あるいは何分毎といった所定の時間間隔で自動的に噴霧するものではない。その使用の目的は、例えば、エアゾール剤のヒトの皮膚からの吸収性を試験する際に、比較するエアゾール容器入りの薬剤を正確に同じ時間噴霧すること等である。
【課題を解決するための手段】
【０００６】
（考案の態様）
以下の考案の態様は、本考案の態様を例示するものであり、本考案の多様な構成要素の理解を容易にするために、項分けして説明するものである。なお、以下の各項は、本考案の技術的範囲を限定するものではなく、本考案を実施する最良の形態を参酌しつつ、各項の構成要素の一部を置換し、削除し、又は、更に他の構成要素を付加した態様についても、本考案の一態様になり得るものである。
【０００７】
（１）エアゾール容器を装填するためのボトルケースを備え、前記ボトルケースを保持する保持部と、前記エアゾール容器のキャップを押圧する押圧部を有する駆動装置と、前記押圧部による前記キャップの押圧時間を制御する制御装置と、を備えるエアゾールの定量噴霧装置（請求項１）。
【０００８】
本項に係る定量噴霧装置では、エアゾール容器の形状や大きさに応じて、ボトルケースの形状を変更することで、形状や大きさの異なるエアゾール容器に対応して、保持部との形状差を解消し、エアゾール容器を正確に保持するものとなる。エアゾールの噴射は、エアゾール容器のキャップを押圧することによる。その動作は、押圧部を有する駆動装置が行う。また、制御装置によって、押圧部によるエアゾール容器のキャップの押圧時間を正確に制御することで、噴霧時間（噴霧量）を調整することができる。
【０００９】
（２）上記（１）項において、さらに、前記押圧部と前記キャップの間に介在されるキャップカバーを備える定量噴霧装置（請求項２）。
【００１０】
本項に係る定量噴霧装置では、押圧部とキャップとの間にキャップカバーを介在させる。このキャップカバーは、エアゾール容器のキャップの形状や大きさに応じて、その形状や大きさを変更することで、キャップに正確に取付けられる。これにより、キャップカバーを取り付けたエアゾール容器（これはボトルケースに装填されている）が保持部に正確に保持され、押圧部によるキャップカバーが押圧されることでキャップが押され、エアゾール容器から内容物の一定時間（量）の噴霧が行われる。
【００１１】
（３）上記（１）又は（２）項において、前記キャップカバーが、有底円筒状に形成され、その内側底部には、前記エアゾール容器の前記キャップに予め形成された位置決め部と係合する第１係合部が形成され、外周部には、エアゾールの噴射方向を固定するための第２係合部が形成されている定量噴霧装置（請求項３）。
【００１２】
本項に係る定量噴霧装置では、キャップカバーが有底円筒状に形成されており、その内側底部に第１係合部を形成することで、エアゾール容器のキャップに対して、容易に位置決めするものとなる。第１係合部の形状は、エアゾール容器のキャップ上部に切込状や孔状の部位が形成されている場合は、それに嵌合可能な突起形状等にすることができ、またキャップ上部に段差やリブが設けられた形状であれば、それに係合できるような形状にすることができる。更に、キャップカバーの外周部に第２係合部を形成することで、エアゾールの噴射方向を所望の方向に容易に合わせて固定することができるものとなる。
【００１３】
（４）上記（１）〜（３）項のいずれかにおいて、前記保持部に、前記駆動装置を内臓するケースカバー部が連結されている定量噴霧装置（請求項４）。
【００１４】
本項に係る定量噴霧装置では、保持部に、駆動装置を内臓するケースカバー部が連結されることで、外観上もまとまりのよい装置となる。ケースカバー部と保持部とは、プラスチック等の素材により、一体的に形成することもできる。
【００１５】
（５）上記（１）〜（４）項のいずれかにおいて、さらに前記保持部又は前記ケースカバー部に連結される筒状の噴射ガイド部を有する定量噴霧装置（請求項５）。
【００１６】
本項に係る定量噴霧装置では、前記保持部のエアゾールの噴霧される箇所に、筒状の噴射ガイド部を有することにより、噴霧されたエアゾールをより安定的に所望の箇所に到達させることができる。噴射ガイド部は、保持部に連結されていてもよいし、ケースカバー部に連結されていてもよい。噴射ガイド部が連結される部位には、そのための係合部（ロック部）が設けられている。また、保持部及びケースカバー部のエアゾールが噴射される箇所には適度な大きさの孔が設けられている。
【００１７】
（６）上記（１）〜（５）項のいずれかにおいて、前記噴射ガイド部が、エアゾール容器から噴霧されたエアゾールが、前記噴射ガイド内壁に付着しない大きさ及び形状に形成されている定量噴霧装置（請求項６）。
【００１８】
本項に係る定量噴霧装置は、エアゾールを所定の場所に正確に定量噴霧するために、噴射ガイド部の大きさ及び形状を、エアゾールが噴射ガイド部の内壁に付着しない大きさと形状とするものである。噴射ガイド部の先を、例えばヒトの皮膚に直接当ててエアゾールを噴霧させることで、エアゾールが一切空中に飛散せずに、すべてヒトの皮膚に付着させることが可能となる。これは、当該エアゾールが薬剤の場合など、その効果を正確に評価するためには非常に重要である。
【００１９】
（７）上記（１）〜（６）項のいずれかにおいて、前記制御装置を内臓し、前記保持部に連結されるベースケース部が形成されている定量噴霧装置（請求項７）。
【００２０】
本項に係る定量噴霧装置では、制御装置が、ベースケース部に内臓され、これが保持部に連結されている。本願の定量噴霧装置において、制御装置は重量が大きい部品になるので、これをベースケース部に内臓し、ベースケース部を置台にすることで、装置全体を安定した形状にすることができる。保持部はベースケース部の上方に突き出すように連結させることができる。
【００２１】
（８）上記（１）〜（７）項のいずれかにおいて、前記ボトルケース及び前記保持部には、前記エアゾール容器の一部を視覚的に露出させる開口部又は透明部が形成されている定量噴霧装置（請求項８）。
【００２２】
本項に係る定量噴霧装置では、ボトルケースと保持部に、エアゾール容器の一部を視覚的に露出させる開口部又は透明部が形成されることで、エアゾール容器のラベルや印刷を確認することができる。例えば、ボトルケースの方を切り欠き等により開口部を構成し、保持部の少なくともボトルケースの開口部に対応する位置を、透明なプラスチック、アクリル等で透明部として構成することで、保持部に単なる開口部を設ける場合よりも保持部の強度が増し好ましい。
【００２３】
（９）上記（１）〜（８）項のいずれかにおいて、前記押圧部が、カムによる押圧機構である定量噴霧装置（請求項９）。
【００２４】
本項に係る定量噴霧装置では、カムを使用してエアゾール容器のキャップ又はキャップカバーを押圧するものである。複雑な装置が不要でありコスト的にも有利である。
【００２５】
（１０）上記（１）〜（９）項のいずれかにおいて、前記駆動装置が、サーボモータによる駆動機構を有する定量噴霧装置（請求項１０）。
【００２６】
本項に係る定量噴霧装置では、駆動装置をサーボモータで構成することで、押圧部による押圧を正確に制御することができる。また、市販されている小型のサーボモータを購入して使用することができる。
【００２７】
（１１）上記（１）〜（１０）項のいずれかにおいて、前記ベースケース部に前記保持部の下部の形状に合わせた係合穴を設け、前記係合穴に前記保持部が係合され固定されている定量噴霧装置（請求項１１）。
【００２８】
本項に係る定量噴霧装置では、保持部をネジ等でベースケース部に固定できるが、ベースケース部に保持部の下部の形状に合わせた係合穴を設け、ここに保持部を係合させた上で固定することによって、保持部がベースケース部により正確に且つより強固に固定されたものとなる。
【００２９】
（１２）上記（１）〜（１１）項のいずれかにおいて、電源が入っていることを知らせるパイロットランプを有する定量噴霧装置（請求項１２）。
【００３０】
本項に係る定量噴霧装置では、ＬＥＤ等を使用したパイロットランプを有することによって、装置の電源が入っていることを目視で容易に確認することできる。そのため、電源を入れたまま放置するといったことが避けられる。
【００３１】
（１３）上記（１）〜（１２）項のいずれかにおいて、電源がバッテリーである定量噴霧装置（請求項１３）。
【００３２】
本項に係る定量噴霧装置では、電源をバッテリーにすることにより、電気コードが不要となる。これにより、例えばヒトの背中の複数箇所にエアゾールを定量噴霧するといった操作時に、取扱いが便利で、また持ち運びも容易なものとなる。
【考案の効果】
【００３３】
本考案は、以上のように構成したことにより、エアゾール容器を正確に保持して、エアゾールを所望の対象に対して所望の量噴霧することが可能な定量噴霧装置を提供することができる。
【図面の簡単な説明】
【００３４】
【図１】本考案の一実施形態に係る定量噴霧装置の斜視図である。
【図２】図１の定量噴霧装置を別方向から見た斜視図である。
【図３】図１の定量噴霧装置の下面図である。
【図４】ボトルケースの平面図である。
【図５】図４のＡ−Ａ線に沿ったボトルケースの断面図である。
【図６】キャップカバーの平面図である。
【図７】図６のＢ−Ｂ線に沿ったキャップカバーの断面図である。
【図８】保持部の平面図である。
【図９】図８のＣ−Ｃ線に沿った保持部の断面図である。
【図１０】押圧部及び駆動装置の斜視図である。
【図１１】定量噴霧装置の回路図である。
【図１２】エアゾール容器のキャップの平面図である。
【図１３】図１２のキャップの正面図である。
【図１４】定量噴霧装置へのエアゾール容器の装填方法を示す図である（詳しくは後述する）。
【００３５】
以下、本考案の一実施形態に係る定量噴霧装置の構成を図１〜図１１に基づいて詳細に説明する。
本考案の定量噴霧装置１は、エアゾール容器２内の内容物（エアゾール）を定量噴霧するものである。図１，図２、図３及び図１１に示すように、定量噴霧装置１は、エアゾール容器２を保持するボトルケース３と、エアゾール容器２のキャップ７０に取付けるキャップカバー４と、ボトルケース３を収納する保持部５と、エアゾール容器２のエアゾールが噴射される方向に連結される噴射ガイド部５０と、ケースカバー部６と、保持部５を支持するベースケース部７と、押圧部１２と、押圧部１２を駆動させる駆動装置１３と、駆動装置１３を制御する制御装置８と、主電源スイッチ９と、エアゾール容器２の噴霧を始動する始動スイッチ１０と、噴霧時間を調整するボリューム６８と、ＬＥＤを使用したパイロットランプ１１と、を備えている。
【００３６】
ボトルケース３は、図４及び５に示すように、エアゾール容器２を直接的に保持するものであり、エアゾール容器２の形状や大きさに対応した形状（図示では、略円筒状）に形成されている。このボトルケース３は、第１開口１５と、第２開口１６と、第２開口１６側に設けられた第１ガイド部１７及び第２ガイド部１８と、第２開口１６側の外周部に設けられた位置決め部１９と、第１開口１５側の外周部に設けられた第１突起部２０及び第２突起部２１と、を備えている。また、ボトルケース３は、エアゾール容器２のラベル２７を確認するための開口部２２が形成されている。第１開口１５は、エアゾール容器２の挿入口であり、第１開口１５の直径は、第２開口１６の直径に比べ大きく形成されている。第１ガイド部１７及び第２ガイド部１８は、キャップカバー４を案内するものであり、溝部２３，２４を設けた平面視凹状（図４参照）に形成され、互いに、ボトルケース３の長手方向に延びている。また、第１ガイド部１７及び第２ガイド部１８は、溝部２３，２４が対向するように配置されている。位置決め部１９は、保持部５に対して位置決めするものであり、溝部２５を設けた平面視凹状（図４参照）に形成され、ボトルケース３側面に沿って第１ガイド部１７の基部側から第２開口１６に向かって延びている。第１突起部２０及び第２突起部２１は、保持部５に対して位置合わせするものであり、ボトルケース３を側面視して、第１突起部２０は、略四角形状に形成され、第２突起部２１は、略長方形状に形成されている。第１突起部２０と第２突起部２１とは、互いに反対側の位置に配置されている。なお、ボトルケース３は、エアゾール容器２のラベル２７を確認するために開口部２２を形成しているが、透明カバーを形成し、エアゾール容器２のラベル２７を確認できるようにしてもよい。
【００３７】
キャップカバー４は、図６及び図７に示すように、有底円筒状に形成され、第１係合部３０，３０と、第２係合部３１ａ，３１ｂと、噴霧開口部３２と、を備えている。第１係合部３０，３０は、エアゾール容器２のキャップ７０に対して、位置決めするものであり、キャップカバー４の底部に設けられている。第２係合部３１ａ，３１ｂは、噴射ガイド部５０に対する噴霧方向を合わせるものであり、キャップカバー４の外周部に設けられ、一方の第２係合部３１ａは、キャップカバー４の上部から底部側に向かって延びて形成され、他方の第２係合部３１ｂは、上部と底部との略中間部に形成されている。この第２係合部３１ａ，３１ｂは、互いに反対側の位置に配置されている。第２係合部３１ａ，３１ｂは、キャップカバー４を装着したエアゾール容器２をボトルケース３に収納する際、ボトルケース３の第１ガイド部１７及び第２ガイド部１８の溝部２３，２４にそれぞれ挿入される。第２係合部３１ａ，３１ｂの形状、数量、位置等は、ボトルケース３の第１ガイド部１７及び第２ガイド部１８の形状、数量、位置等によって適宜設定できる。噴霧開口部３２は、エアゾール容器２内の内容物を噴霧するための開口である。なお、キャップカバー４は、有底円筒状に形成されているが、エアゾール容器２のキャップ７０の形状や大きさ、並びに、これに設けられる孔又は突起の形状、数量、位置等に応じて、キャップカバー４の形状や大きさ、並びに、第１係合部３０，３０の形状、数量、位置等を適宜変更してもよい。
【００３８】
保持部５は、図８及び図９に示すように、略円筒状に形成され、押圧部１２を有する駆動装置１３を収納するためのケースカバー部６が連結され、押圧部１２を有する駆動装置１３を支持する支持部３６と、始動スイッチ１０を取付ける取付穴３７と、パイロットランプ１１を取付ける取付穴３８と、エアゾール容器２のラベル２７を確認するための透明部３９と、を備えている。また、保持部５の内周上部には、ボトルケース３の側面に当接して位置決めするための位置決め突起４０が形成され、内周下部には、ボトルケース３の第１突起部２０及び第２突起部２１を位置決めする位置決め溝４１，４２が形成されている。保持部５の外周下部には、複数の突起４３が形成されている。保持部５の外周下部に設けられた複数の突起４３は、円周方向に所定の間隔に配置されており、ネジ４５を通すネジ穴４４が形成され、このネジ穴４４にネジ４５を通し、ネジ４５によってベースケース部７に固定される。支持部３６には、溝４６が形成され、この溝４６は、位置決め突起４０と対向する位置に形成され、ボトルケース３の第２ガイド部１８が挿通される。透明部３９は、エアゾール容器２のラベル２７が確認できるように、所定の大きさで形成されている。
【００３９】
ケースカバー部６（図１及び図２参照）は、保持部５と一体的に形成させていてもよく、又は、保持部５に対して着脱可能に取付けられていてもよい。図１及び図２の実施形態では、ケースカバー部６に噴射ガイド部５０を固定するロック部５１と、エアゾール容器２の内容物を噴霧するための噴霧口（図示せず）と、が形成されている。噴射ガイド部５０は、略円筒状であり、ケースカバー部６に着脱可能に取付けられ、ロック部５１に係合する複数の爪部（図示せず）が設けられている。噴射ガイド部５０の爪部は、噴射ガイド部５０の外周部に、互いに反対側の位置に配置されている。ロック部５１は、噴射ガイド部５０の爪部の位置を合わせる位置決め部５２が形成されている。なお、噴射ガイド部５０は、ケースカバー部６に着脱可能に取付けられているが、保持部５に噴射ガイド部５０を固定するロック部を設け、保持部５に着脱可能に取付けてもよい。
【００４０】
ベースケース部７（図１及び図２参照）は、略長方形状であり、上部ケース部５５及び下部ケース部５６とで構成されている。上部ケース部５５及び下部ケース部５６は、ネジ６１（図３参照）によって結合されている。ベースケース部７の内部には、制御装置８（図１１参照）が収納されている。ベースケース部７の側部には、制御装置８のボリューム６８が取付けられ、ボリューム６８近傍に噴霧時間を示す目盛り（図示せず）が印字されていてもよい。更に、ベースケース部７の側部には、主電源スイッチ９が取付けられ、主電源スイッチ９近傍にＯＮ及びＯＦＦを示す文字（図示せず）が印字されていてもよい。
【００４１】
上部ケース部５５には、保持部５を係合する係合穴５７が形成されている。下部ケース部５６は、ボトルケース３及び保持部５を挿通する挿通穴６６（図１４参照）と、挿通穴６６を閉鎖する蓋５８（図３参照）と、バッテリー部５９と、ネジ６１を挿通する複数のネジ穴６０と、を備えている。挿通穴６６には、蓋５８を固定するロック部６２が形成され、このロック部６２には、蓋５８の爪部６７，６７の位置を合わせる位置合わせ部６９，６９が形成されている。蓋５８は、略円盤状に形成され、挿通穴６６のロック部６２に固定する爪部６７，６７と、取っ手６３とが設けられている。また、蓋５８は、取っ手６３が形成された面の反対側に面に、エアゾール容器２を支持する支持突起（図示せず）が形成されている。バッテリー部５９は、電源である複数のバッテリー（図示せず）と、複数のバッテリーを収納するボックス６４と、ボックス６４に対して着脱可能な蓋６５とを備えている。このバッテリー部５９は、制御装置８と接続され、主電源スイッチ９をＯＮにすることで、制御装置８に電力を供給する。
【００４２】
押圧部１２は、エアゾール容器２のキャップ７０に取付けられたキャップカバー４を押圧するカム部材であり、駆動装置１３の駆動軸１４に取付けられている。駆動装置１３は、押圧部１２の位置、すなわち、押圧部１２を初期位置から押圧位置まで制御するサーボモータであり、駆動軸１４を設け、保持部５の支持部３６に支持されている。また、駆動装置１３は、制御装置８によって駆動が制御され、始動スイッチ１０を押すことで駆動される。
【００４３】
なお、押圧部１２は、カム部材によってキャップカバー４を押圧するようにしているが、例えば、レバー等の押圧機構を用いてキャップカバー４を押圧することもできる。また、駆動装置１３は、押圧部１２の位置を制御するためにサーボモータを用いているが、例えば、ステッピングモータ等の駆動モータを用いて押圧部１２の位置を制御することもできる。
【００４４】
図１１に示すように、制御装置８は、駆動装置１３を制御するものであり、ベースケース部７内に収納され、エアゾール容器２の噴霧時間を調節するボリューム６８を備えている。この制御装置８は、主電源スイッチ９をＯＮにし、ボリューム６８によって噴霧時間を設定し、始動スイッチ１０を押すことで、設定された噴霧時間だけ駆動するように駆動装置１３に信号を出力し、駆動装置１３の駆動時間を制御している。
【００４５】
主電源スイッチ９は、制御装置８に電力の供給及び停止を行うためのスイッチであり、ベースケース部７に取付けられている。始動スイッチ１０は、駆動装置１３を駆動させるためのスイッチであり、保持部５の取付穴３７（図９参照）に取付けられている。ＬＥＤを使用したパイロットランプ１１は、定量噴霧装置１の待機状態及び噴霧準備、又は、噴霧中を知らせるものであり、保持部５の取付穴３８（図９参照）に取付けられ、始動スイッチ１０の上部に配置されている。このパイロットランプ１１は、定量噴霧装置１が待機状態及び噴霧準備の場合、青く発光し、定量噴霧装置１が噴霧中の場合、赤く発光する。なお、パイロットランプ１１の発光する色は、適宜他の色に変更してもよい。
【００４６】
次に、エアゾール容器２のキャップ７０を図１２及び図１３に基づいて説明する。
図１２及び図１３に示すように、エアゾール容器２のキャップ７０は、エアゾール容器２に着脱可能に取付けられ、複数の孔状の位置決め穴７１，７１が形成されている。この位置決め穴７１，７１は、キャップカバー４に対して位置決めするためのものであり、キャップ７０の上部から下部まで貫通するように必要に応じて加工されるものである。本実施形態では、孔状の位置決め穴７１，７１が図示されているが、このエアゾール容器２のキャップ７０上部の部分は、切込、段差、リブ、突起等の種々の形状があり、前記キャップカバー４は、これら形状に合致するような有底の形状に形成することができる。
【００４７】
ここで、エアゾール容器２を定量噴霧装置１に装填する方法を図１４に基づいて説明する。
図１４ａに示すように、ボトルケース３を保持部５に装着し、エアゾール容器２のキャップ７０にキャップカバー４を取付ける。ボトルケース３を保持部５に装着したとき、ボトルケース３の位置決め部１９の溝部２５（図４参照）が保持部５の位置決め突起４０（図８参照）に係合し、ボトルケース３の第１突起部２０（図４及び図５参照）が保持部５の溝４１（図９参照）に係合し、ボトルケース３の第２突起部２１（図４及び図５参照）が保持部５の溝４２（図９参照）に係合し、ボトルケース３の第２ガイド部１８（図４参照）が保持部５の溝４６（図８参照）に係合する。これにより、ボトルケース３は、保持部５に対して所定の位置に配置され、正確に保持される。
【００４８】
次に、図１４ｂに示すように、エアゾール容器２をボトルケース３に装着する。このとき、エアゾール容器２のキャップ７０（図１２及び図１３参照）に取付けられたキャップカバー４の一方の第２係合部３１ａ（図７及び図８参照）がボトルケース３の第１ガイド部１７（図４参照）に係合され、キャップカバー４の他方の第２係合部３１ｂ（図１２及び図１３参照）がボトルケース３の第２ガイド部１８（図４参照）に係合される。これにより、エアゾール容器２の噴霧方向を噴射ガイド部５０に正確に合わせられる。なお、エアゾール容器２がボトルケース３に挿入できない場合、エアゾール容器２を回転させることで、ボトルケース３に正確に挿入することができる。
【００４９】
次に、図１４ｃに示すように、挿入穴６６からエアゾール容器２及びボトルケース３の落下を防止するために、ベースケース部７の蓋５８を用いて、ベースケース部７の挿入穴６６を閉鎖する。そして、図１４ｄに示すように、蓋５８の爪部６７，６７を挿入穴６６のロック部６２の位置合わせ部６９，６９に合わせ、蓋５８を回転させることで（図１４ｄ矢印参照）、蓋５８を挿入穴６６のロック部６２にロックされる。
【００５０】
上記構成を有する本考案の一実施形態の定量噴霧装置１によると、ボトルケース３は、エアゾール容器２の形状や大きさに応じて、形状や大きさを変更することで、エアゾール容器２を正確に保持することが可能となる。又、保持部５とエアゾール容器２との形状差を解消し、キャップカバー４を取付けたエアゾール容器２を収納したボトルケース３を、保持部５に正確に収納することが可能となる。キャップカバー４は、エアゾール容器２のキャップ７０の形状や大きさに応じて、形状や大きさを変更することで、キャップ７０に正確に取付けることが可能となる。押圧部１２は、例えば、カム、レバー等の押圧機構とすることで、エアゾール容器２のキャップ７０に取付けたキャップカバー４を正確に押圧することが可能となる。駆動装置１３は、例えば、サーボモータ、ステッピングモータ等の駆動モータとすることで、押圧部１２を初期位置から押圧位置まで適切に駆動させることが可能となる。ケースカバー６は、押圧部１２及び駆動装置１３を収納し、保持部５に装着することで、エアゾール容器２のキャップ７０に取付けたキャップカバー４に対して、収納した押圧部１２を適切な位置に配置させることが可能となる。噴射ガイド部５０は、ケースカバー６に装着することで、エアゾール容器２内の内容物を噴霧するとき、所定の場所に一定の距離をもって正確に定量噴霧することが可能となる。噴霧ガイド５０は、噴射されたエアゾールが内壁に付着しないように設計されることが好ましい。ベースケース７は、保持部５の形状及び大きさに応じて、保持部５を正確に支持すると共に、制御装置８や、制御装置８に電力を供給するバッテリー部５９等を保持することが可能となる。
【００５１】
また、キャップカバー４は、キャップカバー４の底部に第１係合部３０，３０を形成することで、エアゾール容器２のキャップ７０に対して、容易に位置決めすることが可能となる。更に、キャップカバー４の外周部に第２係合部３１ａ，３１ｂを形成することで、噴射ガイド部５０に対する噴射方向を容易に合わせることが可能となる。
【００５２】
更に、ボトルケース３及び保持部５の一方又は双方に、単なる開口部３９、アクリル板、プラスチック板等の透明カバー等を形成する（透明部２２とする）ことで、エアゾール容器２のラベル２７を容易に確認することが可能となる。
【００５３】
本考案の定量噴霧装置１は、乾電池等のバッテリーで作動するため、電源コードが不要になり、持ち運びが自由となる。
【符号の説明】
【００５４】
１…定量噴霧装置、２…エアゾール容器、３…ボトルケース、５…保持部、８…制御装置、７０…キャップ
【図１】
0003189960.tif 000003
【図２】
0003189960.tif 000004
【図３】
0003189960.tif 000005
【図４】
0003189960.tif 000006
【図５】
0003189960.tif 000007
【図６】
0003189960.tif 000008
【図７】
0003189960.tif 000009
【図８】
0003189960.tif 000010
【図９】
0003189960.tif 000011
【図１０】
0003189960.tif 000012
【図１１】
0003189960.tif 000013
【図１２】
0003189960.tif 000014
【図１３】
0003189960.tif 000015
【図１４】
0003189960.tif 000016
【手続補正書】
【提出日】平成26年2月4日(2014.2.4)
【手続補正１】
【補正対象書類名】実用新案登録請求の範囲
【補正対象項目名】全文
【補正方法】変更
【補正の内容】
【実用新案登録請求の範囲】
【請求項１】
エアゾール容器を装填するボトルケースを備え、前記ボトルケースを保持する保持部と、前記エアゾール容器のキャップを押圧する押圧部を有する駆動装置と、前記押圧部による前記キャップの押圧時間を制御する制御装置と、を備えることを特徴とするエアゾールの定量噴霧装置。
【請求項２】
更に、前記押圧部と前記キャップの間に介在されるキャップカバーを備えることを特徴とする請求項１に記載の定量噴霧装置。
【請求項３】
前記キャップカバーが、有底円筒状に形成され、その内側底部には、前記エアゾール容器の前記キャップに予め形成された位置決め部と係合する第１係合部が形成され、外周部には、エアゾールの噴射方向を固定するための第２係合部が形成されていることを特徴とする請求項２に記載の定量噴霧装置。
【請求項４】
前記保持部に、前記駆動装置を内蔵するケースカバー部が連結されていることを特徴とする請求項１乃至３のいずれか一項に記載の定量噴霧装置。
【請求項５】
更に、前記保持部又は前記ケースカバー部に連結される筒状の噴射ガイド部を有することを特徴とする請求項４に記載の定量噴霧装置。
【請求項６】
前記噴射ガイド部は、エアゾール容器から噴霧されたエアゾールが、前記噴射ガイド部の内壁に付着しない大きさ及び形状に形成されていることを特徴とする請求項５に記載の定量噴霧装置。
【請求項７】
更に、前記制御装置を内蔵し、前記保持部に連結されるベースケース部が形成されていることを特徴とする請求項１乃至６のいずれか一項に記載の定量噴霧装置。
【請求項８】
前記ボトルケース及び前記保持部には、前記エアゾール容器の一部を視覚的に露出させる開口部又は透明部が形成されていることを特徴とする請求項１乃至７のいずれか一項に記載の定量噴霧装置。
【請求項９】
前記押圧部が、カムによる押圧機構であることを特徴とする請求項１乃至８のいずれか一項に記載の定量噴霧装置。
【請求項１０】
前記駆動装置が、サーボモータによる駆動機構を有することを特徴とする請求項１乃至９のいずれか一項に記載の定量噴霧装置。
【請求項１１】
前記ベースケース部に前記保持部の下部の形状に合わせた係合穴を設け、前記係合穴に前記保持部が係合され固定されていることを特徴とする請求項７乃至１０のいずれか一項に記載の定量噴霧装置。
【請求項１２】
電源が入っていることを知らせるパイロットランプを有することを特徴とする請求項１乃至１１のいずれか一項に記載の定量噴霧装置。
【請求項１３】
電源がバッテリーであることを特徴とする請求項１乃至１２のいずれか一項に記載の定量噴霧装置。
【手続補正２】
【補正対象書類名】明細書
【補正対象項目名】００１５
【補正方法】変更
【補正の内容】
【００１５】
（５）上記（４）項において、さらに前記保持部又は前記ケースカバー部に連結される筒状の噴射ガイド部を有する定量噴霧装置（請求項５）。
【手続補正３】
【補正対象書類名】明細書
【補正対象項目名】００１７
【補正方法】変更
【補正の内容】
【００１７】
（６）上記（５）項のいずれかにおいて、前記噴射ガイド部が、エアゾール容器から噴霧されたエアゾールが、前記噴射ガイド内壁に付着しない大きさ及び形状に形成されている定量噴霧装置（請求項６）。
【手続補正４】
【補正対象書類名】明細書
【補正対象項目名】００２７
【補正方法】変更
【補正の内容】
【００２７】
（１１）上記（７）〜（１０）項のいずれかにおいて、前記ベースケース部に前記保持部の下部の形状に合わせた係合穴を設け、前記係合穴に前記保持部が係合され固定されている定量噴霧装置（請求項１１）。